【手続補正書】
【提出日】平成17年2月22日(2005.2.22)
【手続補正１】
【補正対象書類名】明細書
【補正対象項目名】特許請求の範囲
【補正方法】変更
【補正の内容】
【特許請求の範囲】
【請求項１】
周波数スペクトラムの拡散された拡散クロックと、周波数スペクトラムの拡散されていない非拡散クロックと、を含む複数種類のクロックに基づいて動作する電子機器であって、
前記クロックを動作の基準として利用する複数のＩＣを備えると共に、
前記複数種類のクロックのうち、そのクロックを利用しているＩＣの数が最も多いクロックが、少なくとも前記拡散クロックで構成されたことを特徴とする電子機器。
【請求項２】
周波数スペクトラムの拡散された拡散クロックと、周波数スペクトラムの拡散されていない非拡散クロックと、を含む複数種類のクロックに基づいて動作する電子機器であって、
前記クロックを動作の基準として利用する複数のＩＣと、
前記クロックを生成する１つ以上のクロック発生器と、
を備えると共に、
前記複数種類のクロックのうち、そのクロックが生成されるクロック発生器から、最終的にそのクロックが供給されるＩＣまで、のそのクロックの信号経路が最も長いクロックが、少なくとも前記拡散クロックで構成されたことを特徴とする電子機器。
【請求項３】
周波数スペクトラムの拡散された拡散クロックと、周波数スペクトラムの拡散されていない非拡散クロックと、を含む複数種類のクロックに基づいて動作する電子機器であって、
前記複数種類のクロックのうち、周波数が最も高いクロックが、少なくとも前記拡散クロックで構成されたことを特徴とする電子機器。
【請求項４】
周波数スペクトラムの拡散された拡散クロックと、周波数スペクトラムの拡散されていない非拡散クロックと、を含む複数種類のクロックに基づいて動作する電子機器であって、
前記クロックを生成する１つ以上のクロック発生器を備えると共に、
前記複数種類のクロックのうち、クロック発生器の出力する出力電流が最も大きいクロックが、少なくとも前記拡散クロックで構成されたことを特徴とする電子機器。
【請求項５】
周波数スペクトラムの拡散された拡散クロックと、周波数スペクトラムの拡散されていない非拡散クロックと、を含む複数種類のクロックに基づいて動作する電子機器であって、
前記クロックを生成する１つ以上のクロック発生器を備えると共に、
前記複数種類のクロックのうち、クロック発生器を駆動するための駆動電源電圧の最も高いクロックが、少なくとも前記拡散クロックで構成されたことを特徴とする電子機器。
【請求項６】
請求項１ないし請求項５のうちの任意の１つに記載の電子機器において、
前記拡散クロックを生成する第１のクロック発生器と前記非拡散クロックを生成する第２のクロック発生器とを少なくとも備え、
前記第１及び第２のクロック発生器は同一のＩＣによって構成されていることを特徴とする電子機器。
【請求項７】
少なくとも液晶パネルを備え、周波数スペクトラムの拡散された拡散クロックと、周波数スペクトラムの拡散されていない非拡散クロックと、を含む複数種類のクロックに基づいて動作する液晶プロジェクタであって、
前記複数種類のクロックのうち、最終的に前記液晶パネルに供給されるクロックが、少なくとも前記拡散クロックで構成されたことを特徴とする液晶プロジェクタ。
【手続補正２】
【補正対象書類名】明細書
【補正対象項目名】０００８
【補正方法】変更
【補正の内容】
【０００８】
【課題を解決するための手段およびその作用・効果】
上記した目的の少なくとも一部を達成するために、本発明の第１の電子機器は、周波数スペクトラムの拡散された拡散クロックと、周波数スペクトラムの拡散されていない非拡散クロックと、を含む複数種類のクロックに基づいて動作する電子機器であって、
前記クロックを動作の基準として利用する複数のＩＣを備えると共に、
前記複数種類のクロックのうち、そのクロックを利用しているＩＣの数が最も多いクロックが、少なくとも前記拡散クロックで構成されたことを要旨とする。
【手続補正３】
【補正対象書類名】明細書
【補正対象項目名】０００９
【補正方法】変更
【補正の内容】
【０００９】
本発明においては、利用しているＩＣの数が最も多いクロックが拡散クロックで構成されたことにより、少なくとも、これらＩＣの発生するＥＭＩノイズを全て低減することができるので、電子機器全体として発生するＥＭＩノイズを効率的に低減することができる。
【手続補正４】
【補正対象書類名】明細書
【補正対象項目名】００１０
【補正方法】変更
【補正の内容】
【００１０】
本発明の第２の電子機器は、周波数スペクトラムの拡散された拡散クロックと、周波数スペクトラムの拡散されていない非拡散クロックと、を含む複数種類のクロックに基づいて動作する電子機器であって、
前記クロックを動作の基準として利用する複数のＩＣと、
前記クロックを生成する１つ以上のクロック発生器と、
を備えると共に、
前記複数種類のクロックのうち、そのクロックが生成されるクロック発生器から、最終的にそのクロックが供給されるＩＣまで、のそのクロックの信号経路が最も長いクロックが、少なくとも前記拡散クロックで構成されたことを要旨とする。
【手続補正５】
【補正対象書類名】明細書
【補正対象項目名】００１１
【補正方法】変更
【補正の内容】
【００１１】
本発明においては、クロック発生器から最終的に供給されるＩＣまでの信号経路が最も長いクロックが拡散クロックで構成されたことにより、そのクロックを利用しているＩＣから発生するＥＭＩノイズの他、それらＩＣ同士をつなぎ、そのクロックが伝送される配線から発生するＥＭＩノイズを全て低減することができるので、電子機器全体として発生するＥＭＩノイズを効率的に低減することができる。
【手続補正６】
【補正対象書類名】明細書
【補正対象項目名】００１２
【補正方法】変更
【補正の内容】
【００１２】
本発明の第３の電子機器は、周波数スペクトラムの拡散された拡散クロックと、周波数スペクトラムの拡散されていない非拡散クロックと、を含む複数種類のクロックに基づいて動作する電子機器であって、
前記複数種類のクロックのうち、周波数が最も高いクロックが、少なくとも前記拡散クロックで構成されたことを要旨とする。
【手続補正７】
【補正対象書類名】明細書
【補正対象項目名】００１３
【補正方法】変更
【補正の内容】
【００１３】
本発明においては、周波数が最も高いクロックが拡散クロックで構成されたことにより、電子機器全体として発生するＥＭＩノイズのエネルギを効率的に抑えることができ、ＥＭＩノイズの低減を図ることができる。
【手続補正８】
【補正対象書類名】明細書
【補正対象項目名】００１４
【補正方法】変更
【補正の内容】
【００１４】
本発明の第４の電子機器は、周波数スペクトラムの拡散された拡散クロックと、周波数スペクトラムの拡散されていない非拡散クロックと、を含む複数種類のクロックに基づいて動作する電子機器であって、
前記クロックを生成する１つ以上のクロック発生器を備えると共に、
前記複数種類のクロックのうち、クロック発生器の出力する出力電流が最も大きいクロックが、少なくとも前記拡散クロックで構成されたことを要旨とする。
【手続補正９】
【補正対象書類名】明細書
【補正対象項目名】００１５
【補正方法】変更
【補正の内容】
【００１５】
本発明においては、クロック発生器の出力する出力電流が最も大きいクロックが拡散クロックで構成されたことにより、電子機器全体として発生するＥＭＩノイズのエネルギを効果的に抑えることができる。
【手続補正１０】
【補正対象書類名】明細書
【補正対象項目名】００１６
【補正方法】変更
【補正の内容】
【００１６】
本発明の第５の電子機器は、周波数スペクトラムの拡散された拡散クロックと、周波数スペクトラムの拡散されていない非拡散クロックと、を含む複数種類のクロックに基づいて動作する電子機器であって、
前記クロックを生成する１つ以上のクロック発生器を備えると共に、
前記複数種類のクロックのうち、クロック発生器を駆動するための駆動電源電圧の最も高いクロックが、少なくとも前記拡散クロックで構成されたことを要旨とする。
【手続補正１１】
【補正対象書類名】明細書
【補正対象項目名】００１７
【補正方法】変更
【補正の内容】
【００１７】
本発明においては、クロック発生器を駆動するための駆動電源電圧の最も高いクロックが拡散クロックで構成されたことにより、第４の電子機器の場合と同様に、電子機器全体として発生するＥＭＩノイズのエネルギを効果的に抑えることができる。
【手続補正１２】
【補正対象書類名】明細書
【補正対象項目名】００２０
【補正方法】変更
【補正の内容】
【００２０】
本発明の液晶プロジェクタは、少なくとも液晶パネルを備え、周波数スペクトラムの拡散された拡散クロックと、周波数スペクトラムの拡散されていない非拡散クロックと、を含む複数種類のクロックに基づいて動作する液晶プロジェクタであって、
前記複数種類のクロックのうち、最終的に前記液晶パネルに供給されるクロックが、少なくとも前記拡散クロックで構成されたことを要旨とする。